(57)【要約】【課題】視聴者が再生したい動画コンテンツを、容易に選択することができる動画コンテンツ再生装置を提供すること。【解決手段】ユーザ操作による方向指示および決定指示を取得する操作取得部と、方向指示を取得すると、該取得した方向指示に従い、複数の動画コンテンツのうちの一つを選択し、フォーカスされた動画コンテンツとするフォーカスコンテンツ選択部と、フォーカスコンテンツ選択部が、フォーカスされた動画コンテンツとする動画コンテンツを選択すると、該動画コンテンツのダイジェスト映像を取得し、表示させるダイジェスト再生部と、決定指示を取得すると、フォーカスされた動画コンテンツを取得し、表示させる動画再生部とを具備することを特徴とする。【選択図】図１
2013251732.tif 000002
【特許請求の範囲】
【請求項１】
ユーザ操作による方向指示および決定指示を取得する操作取得部と、
前記操作取得部が前記方向指示を取得すると、該取得した方向指示に従い、複数の動画コンテンツのうちの一つを選択し、フォーカスされた動画コンテンツとするフォーカスコンテンツ選択部と、
前記フォーカスコンテンツ選択部が、フォーカスされた動画コンテンツとする動画コンテンツを選択すると、該動画コンテンツのダイジェスト映像を取得し、表示させるダイジェスト再生部と、
前記操作取得部が前記決定指示を取得すると、前記フォーカスされた動画コンテンツを取得し、表示させる動画再生部と
を具備することを特徴とする動画コンテンツ再生装置。
【請求項２】
前記動画コンテンツは、グループ分けされており、
前記方向指示は、前記グループの変更に対応する第１の方向指示と、前記グループ内での動画コンテンツの変更に対応する第２の方向指示とを含み、
前記フォーカスコンテンツ選択部は、前記操作取得部が前記第２の方向指示を取得したときに前記フォーカスコンテンツ選択部が選択してフォーカスされた動画コンテンツとする動画コンテンツの代表画像を、前記ダイジェスト映像に加えて、表示させること
を特徴とする請求項１に記載の動画コンテンツ再生装置。
【請求項３】
前記フォーカスコンテンツ選択部は、前記ダイジェスト再生部がダイジェスト映像の再生を終了すると、それまでのフォーカスされた動画コンテンツとは異なる動画コンテンツを選択して、フォーカスされた動画コンテンツとすること
を特徴とする請求項１に記載の動画コンテンツ再生装置。
【請求項４】
前記動画コンテンツは、グループ分けされており、
前記方向指示は、前記グループの変更に対応する第１の方向指示と、前記グループ内での動画コンテンツの変更に対応する第２の方向指示とを含み、
前記フォーカスコンテンツ選択部は、前記ダイジェスト再生部がダイジェスト映像の再生を終了したときに、それまでのフォーカスされた動画コンテンツとは異なる動画コンテンツを選択して、フォーカスされた動画コンテンツとする際に、前記操作取得部が取得した前記第２の方向指示のうち、最後に取得した第２の方向指示に従い、動画コンテンツを選択すること
を特徴とする請求項３に記載の動画コンテンツ再生装置。
【請求項５】
複数の動画コンテンツを記憶するコンテンツサーバと、前記動画コンテンツを再生する動画コンテンツ再生装置とを具備する動画コンテンツ再生システムであって、
前記コンテンツサーバは、
前記複数の動画コンテンツを記憶する動画コンテンツ記憶部と、
前記動画コンテンツ各々のダイジェスト映像を生成するダイジェスト映像生成部と、
前記生成されたダイジェスト映像を記憶するダイジェスト映像記憶部と、
を具備し、
前記動画コンテンツ再生装置は、
ユーザ操作による方向指示および決定指示を取得する操作取得部と、
前記操作取得部が前記方向指示を取得すると、該取得した方向指示に従い、前記複数の動画コンテンツのうちの一つをフォーカスされた動画コンテンツとするフォーカスコンテンツ選択部と、
前記フォーカスされた動画コンテンツのダイジェスト映像を、前記コンテンツサーバから取得し、表示させるダイジェスト再生部と、
前記操作取得部が前記決定指示を取得すると、前記フォーカスされた動画コンテンツを前記コンテンツサーバから取得し、表示させる動画再生部と
を具備することを特徴とする動画コンテンツ再生システム。
【請求項６】
動画コンテンツ再生装置における動画コンテンツ再生方法であって、
前記動画コンテンツ再生装置が、ユーザ操作による方向指示および決定指示を取得する第１の過程と、
前記動画コンテンツ再生装置が、前記第１の過程にて前記方向指示を取得すると、該取得した方向指示に従い、複数の動画コンテンツのうちの一つを選択し、フォーカスされた動画コンテンツとする第２の過程と、
前記動画コンテンツ再生装置が、前記第２の過程にてフォーカスされた動画コンテンツとする動画コンテンツを選択すると、該動画コンテンツのダイジェスト映像を取得し、表示させる第３の過程と、
前記動画コンテンツ再生装置が、前記第１の過程にて前記決定指示を取得すると、前記フォーカスされた動画コンテンツを取得し、表示させる第４の過程と
を有することを特徴とする動画コンテンツ再生方法。
【請求項７】
コンピュータを、
ユーザ操作による方向指示および決定指示を取得する操作取得部、
前記操作取得部が前記方向指示を取得すると、該取得した方向指示に従い、複数の動画コンテンツのうちの一つを選択し、フォーカスされた動画コンテンツとするフォーカスコンテンツ選択部、
前記フォーカスコンテンツ選択部が、フォーカスされた動画コンテンツとする動画コンテンツを選択すると、該動画コンテンツのダイジェスト映像を取得し、表示させるダイジェスト再生部、
前記操作取得部が前記決定指示を取得すると、前記フォーカスされた動画コンテンツを取得し、表示させる動画再生部
として機能させるためのプログラム。
【発明の詳細な説明】
【技術分野】
【０００１】
本発明は、動画コンテンツ再生装置、動画コンテンツ再生システム、動画コンテンツ再生方法およびプログラムに関する。
【背景技術】
【０００２】
従来、ユーザが入力したキーワードなどに基づき、映像などのコンテンツを検索する方法がある。例えば、特許文献１には、入力された作品名に基づいて検索して、作品を説明する説明文を取得し、該説明文から特定記載を抽出し、該特定記載に基づいて関連作品を特定することが記載されている。
【先行技術文献】
【特許文献】
【０００３】
【特許文献１】特開２０１２−７９０５５号公報
【発明の概要】
【発明が解決しようとする課題】
【０００４】
しかしながら、特許文献１に記載のコンテンツの検索方法においては、作品名などのキーワードを入力する必要があるため、家庭用のテレビジョン受像装置など、入力手段として、リモートコントローラなどの、文字入力に煩雑な操作を要する手段のみを備えている機器では、視聴者が再生したいコンテンツを選択するための操作が煩雑になってしまうという問題がある。
【０００５】
本発明は、このような事情に鑑みてなされたもので、その目的は、視聴者が再生したい動画コンテンツを、容易に選択することができる動画コンテンツ再生装置、動画コンテンツ再生システム、動画コンテンツ再生方法およびプログラムを提供することにある。
【課題を解決するための手段】
【０００６】
（１）この発明は上述した課題を解決するためになされたもので、本発明の一態様は、ユーザ操作による方向指示および決定指示を取得する操作取得部と、前記操作取得部が前記方向指示を取得すると、該取得した方向指示に従い、複数の動画コンテンツのうちの一つを選択し、フォーカスされた動画コンテンツとするフォーカスコンテンツ選択部と、前記フォーカスコンテンツ選択部が、フォーカスされた動画コンテンツとする動画コンテンツを選択すると、該動画コンテンツのダイジェスト映像を取得し、表示させるダイジェスト再生部と、前記操作取得部が前記決定指示を取得すると、前記フォーカスされた動画コンテンツを取得し、表示させる動画再生部とを具備することを特徴とする動画コンテンツ再生装置である。
【０００７】
（２）また、本発明の他の態様は、上述の動画コンテンツ再生装置であって、前記動画コンテンツは、グループ分けされており、前記方向指示は、前記グループの変更に対応する第１の方向指示と、前記グループ内での動画コンテンツの変更に対応する第２の方向指示とを含み、前記フォーカスコンテンツ選択部は、前記操作取得部が前記第２の方向指示を取得したときに前記フォーカスコンテンツ選択部が選択してフォーカスされた動画コンテンツとする動画コンテンツの代表画像を、前記ダイジェスト映像に加えて、表示させることを特徴とする。
【０００８】
（３）また、本発明の他の態様は、上述の動画コンテンツ再生装置であって、前記フォーカスコンテンツ選択部は、前記ダイジェスト再生部がダイジェスト映像の再生を終了すると、それまでのフォーカスされた動画コンテンツとは異なる動画コンテンツを選択して、フォーカスされた動画コンテンツとすることを特徴とする。
【０００９】
（４）また、本発明の他の態様は、上述の動画コンテンツ再生装置であって、前記動画コンテンツは、グループ分けされており、前記方向指示は、前記グループの変更に対応する第１の方向指示と、前記グループ内での動画コンテンツの変更に対応する第２の方向指示とを含み、前記フォーカスコンテンツ選択部は、前記ダイジェスト再生部がダイジェスト映像の再生を終了したときに、それまでのフォーカスされた動画コンテンツとは異なる動画コンテンツを選択して、フォーカスされた動画コンテンツとする際に、前記操作取得部が取得した前記第２の方向指示のうち、最後に取得した第２の方向指示に従い、動画コンテンツを選択することを特徴とする。
【００１０】
（５）また、本発明の他の態様は、複数の動画コンテンツを記憶するコンテンツサーバと、前記動画コンテンツを再生する動画コンテンツ再生装置とを具備する動画コンテンツ再生システムであって、前記コンテンツサーバは、前記複数の動画コンテンツを記憶する動画コンテンツ記憶部と、前記動画コンテンツ各々のダイジェスト映像を生成するダイジェスト映像生成部と、前記生成されたダイジェスト映像を記憶するダイジェスト映像記憶部と、を具備し、前記動画コンテンツ再生装置は、ユーザ操作による方向指示および決定指示を取得する操作取得部と、前記操作取得部が前記方向指示を取得すると、該取得した方向指示に従い、前記複数の動画コンテンツのうちの一つをフォーカスされた動画コンテンツとするフォーカスコンテンツ選択部と、前記フォーカスされた動画コンテンツのダイジェスト映像を、前記コンテンツサーバから取得し、表示させるダイジェスト再生部と、前記操作取得部が前記決定指示を取得すると、前記フォーカスされた動画コンテンツを前記コンテンツサーバから取得し、表示させる動画再生部とを具備することを特徴とする。
【００１１】
（６）また、本発明の他の態様は、動画コンテンツ再生装置における動画コンテンツ再生方法であって、前記動画コンテンツ再生装置が、ユーザ操作による方向指示および決定指示を取得する第１の過程と、前記動画コンテンツ再生装置が、前記第１の過程にて前記方向指示を取得すると、該取得した方向指示に従い、複数の動画コンテンツのうちの一つを選択し、フォーカスされた動画コンテンツとする第２の過程と、前記動画コンテンツ再生装置が、前記第２の過程にてフォーカスされた動画コンテンツとする動画コンテンツを選択すると、該動画コンテンツのダイジェスト映像を取得し、表示させる第３の過程と、前記動画コンテンツ再生装置が、前記第１の過程にて前記決定指示を取得すると、前記フォーカスされた動画コンテンツを取得し、表示させる第４の過程とを有することを特徴とする。
【００１２】
（７）また、本発明の他の態様は、コンピュータを、ユーザ操作による方向指示および決定指示を取得する操作取得部、前記操作取得部が前記方向指示を取得すると、該取得した方向指示に従い、複数の動画コンテンツのうちの一つを選択し、フォーカスされた動画コンテンツとするフォーカスコンテンツ選択部、前記フォーカスコンテンツ選択部が、フォーカスされた動画コンテンツとする動画コンテンツを選択すると、該動画コンテンツのダイジェスト映像を取得し、表示させるダイジェスト再生部、前記操作取得部が前記決定指示を取得すると、前記フォーカスされた動画コンテンツを取得し、表示させる動画再生部として機能させるためのプログラムである。
【発明の効果】
【００１３】
この発明によれば、視聴者が再生したい動画コンテンツを、方向指示のみで容易に選択することができる。
【図面の簡単な説明】
【００１４】
【図１】この発明の一実施形態による動画コンテンツ再生システム１０の構成を示す概略図である。
【図２】同実施形態における動画コンテンツ再生装置２におけるコンテンツ選択を説明する概念図である。
【図３】同実施形態におけるコンテンツサーバ１の構成を示す概略ブロック図である。
【図４】同実施形態における動画コンテンツ再生装置２の構成を示す概略ブロック図である。
【図５】同実施形態におけるメタデータ記憶部１０７、２０３が記憶するメタデータの例を示す図である。
【図６】同実施形態における選択画面生成部２０２の動作を説明するフローチャートである。
【図７】同実施形態における選択画面生成部２０２が生成する選択画面と方向指示との関係を説明する図である。
【発明を実施するための形態】
【００１５】
以下、図面を参照して、本発明の実施の形態について説明する。図１は、この発明の一実施形態による動画コンテンツ再生システム１０の構成を示す概略図である。図１に示すように、動画コンテンツ再生システム１０は、コンテンツサーバ１、動画コンテンツ再生装置２、表示装置４、リモートコントローラ３を含んで構成される。また、コンテンツサーバ１と、動画コンテンツ再生装置２とは、ネットワーク５により、通信可能に接続される。なお、本実施形態では、動画コンテンツ再生システム１０は、１つの動画コンテンツ再生装置２を含んでいるが、複数の動画コンテンツ再生装置２を含んでいてもよい。その場合、複数の動画コンテンツ再生装置２が、１つのコンテンツサーバ１と通信可能に接続される。
【００１６】
コンテンツサーバ１は、動画コンテンツを記憶しており、動画コンテンツ再生装置２からの要求に従い、ネットワーク５を介して、動画コンテンツを動画コンテンツ再生装置２に送信する。動画コンテンツ再生装置２は、例えば、ＳＴＢ（Ｓｅｔ  Ｔｏｐ  Ｂｏｘ）である。動画コンテンツ再生装置２は、リモートコントローラ３からの信号に従い、コンテンツサーバ１が記憶する動画コンテンツの中から再生するものを選択する。このとき、動画コンテンツ再生装置２は、視聴者に動画コンテンツを選択させるための選択画面を生成し、その選択画面の映像信号を表示装置４に入力する。動画コンテンツ再生装置２は、選択した動画コンテンツを、ネットワーク５を介して、コンテンツサーバ１から取得して再生する。動画コンテンツ再生装置２は、再生した動画コンテンツの映像信号および音声信号を、表示装置４に入力する。
【００１７】
リモートコントローラ３は、上下左右の方向を指示するための十字ボタンと、決定指示をするための決定ボタンとを有しており、これらのボタンが押されると、押されたボタンを示す信号を動画コンテンツ再生装置２に送信する。なお、押されたボタンを示す信号は、例えば、赤外線のパルス信号として送信されるが、その他の信号を用いるようにしてもよい。表示装置４は、例えば、テレビジョン受像機であり、入力された映像信号に従い、映像を表示し、入力された音声信号に従い、音声を出力する。図１に示す例では、表示装置４は、選択画面を表示している。図１の選択画面の例は、動画コンテンツのダイジェスト映像ＤＧ１１と、別の動画コンテンツの代表画像の一部Ｄ１２と、さらに別の動画コンテンツの代表画像の一部Ｄ１６とを含む。なお、動画コンテンツ再生装置２と、表示装置４とは、ＨＤＭＩ（High Definition Multimedia Interface）ケーブルなど、映像信号と音声信号とを伝達可能な手段で接続される。ネットワーク５は、インターネットなどのパケット交換ネットワークであるが、これに限らず、コンテンツサーバ１と、動画コンテンツ再生装置２とを双方向に通信可能に接続する通信路であればよい。
【００１８】
図２は、動画コンテンツ再生装置２におけるコンテンツ選択を説明する概念図である。図２において、符号１１〜１６、２１〜２７、５１〜５９は、それぞれ動画コンテンツを示す。動画コンテンツ１１〜５９は、図２に示すように、列方向（左右方向）と、行方向（上下方向）とに、仮想的に配列されている。図２では、動画コンテンツ１１〜１６は、同じ行に、列方向に符号順に配置されている。
【００１９】
なお、本実施形態では、動画コンテンツは、カテゴリーに応じてグループ分けされている。また、動画コンテンツの各々は、カテゴリー毎に順序付けされている。カテゴリーとしては、動画コンテンツのジャンル、製作者、配信者、内容などのいずれを用いてもよい。この仮想的な配列では、同じカテゴリーの動画コンテンツは、同じ行に配置されている。また、同じ行の中では、各動画コンテンツは、カテゴリー毎の順序付けに従い配置されている。すなわち、図２において、符号１１〜１６が付された動画コンテンツは、同じカテゴリーに分類されている。また、その順序付けは、動画コンテンツ１１、１２、１３、１４、１５、１６の順である。符号２１〜２７が付された動画コンテンツ、符号５１〜５９が付された動画コンテンツについても同様である。
【００２０】
同様に、動画コンテンツ２１〜２７は、動画コンテンツ１１〜１６の一つ下の行に、列方向に符号順に配置されている。同様に、動画コンテンツ５１〜５９は、動画コンテンツ２１〜２７のいくつか下の行に、列方向に符号順に配置されている。視聴者は、リモートコントローラ３の十字ボタンを操作して、上下左右方向のいずれかを指示することで、フォーカスされる動画コンテンツを、この配列に従い切り変えていくことができる。
【００２１】
図２では、一点鎖線の矩形Ｇ１は、その中の動画コンテンツ１１がフォーカスされていることを示す。例えば、図２に示すように、動画コンテンツ１１がフォーカスされているときに、右方向が指示されると、該配列において、動画コンテンツ１１の右隣にある動画コンテンツ１２が、フォーカスされる動画コンテンツとなる。また、下方向が指示されると、該配列において、動画コンテンツ１１の下にある動画コンテンツ２１が、フォーカスされる動画コンテンツとなる。すなわち、上下方向の指示（第１の方向指示）がカテゴリーの変更に対応し、左右方向の指示（第２の方向指示）がカテゴリー内での動画コンテンツの変更に対応する。
【００２２】
また、破線の矩形（符号１６、２７、５１、５９）は、この仮想的な配列における端は、逆側の端に紐付けられていることを示す。例えば、動画コンテンツ１１の左隣に描かれている破線で示した矩形１６は、仮想的な配列の右端にある動画コンテンツ１６は、同じ行の左端にある動画コンテンツ１１の左側に紐付けられていることを示す。動画コンテンツ１１がフォーカスされているときに、左方向が指示されると、該配列において、動画コンテンツ１１の左隣に紐付けられている動画コンテンツ１６が、フォーカスされる動画コンテンツとなる。同様に、動画コンテンツ１１の上に描かれている破線で示した矩形５１は、仮想的な配列の下端にある動画コンテンツ５１は、同じ列の上端にある動画コンテンツ１１の上側に紐付けられている。したがって、動画コンテンツ１１がフォーカスされているときに、上方向を指示すると、該配列において、動画コンテンツ１１の上側に紐付けられている動画コンテンツ５１が、フォーカスされる動画コンテンツとなる。
【００２３】
図３は、コンテンツサーバ１の構成を示す概略ブロック図である。図３に示すように、コンテンツサーバ１は、コンテンツ登録部１０１、動画コンテンツ記憶部１０２、ダイジェスト映像生成部１０３、ダイジェスト映像記憶部１０４、ストリーミング部１０５、通信部１０６、メタデータ記憶部１０７、ファイル転送部１０８を含んで構成される。
【００２４】
コンテンツ登録部１０１は、外部から入力された動画コンテンツを、動画コンテンツ記憶部１０２に記憶させる。また、コンテンツ登録部１０１は、外部から入力されたメタデータをメタデータ記憶部１０７に記憶させる。なお、このメタデータは、動画コンテンツ記憶部１０２に記憶させた動画コンテンツに関するメタデータである。このメタデータは、コンテンツ識別番号、コンテンツ名、コンテンツＵＲＬ（Universal Resource Locator）、ダイジェストＵＲＬ、代表画像を含む。また、このメタデータは、図２に示した仮想配列における動画コンテンツ間の位置関係を示す情報として、カテゴリーと順序とを含む。なお、メタデータの詳細については後述する。
【００２５】
動画コンテンツ記憶部１０２は、動画コンテンツを記憶する。ダイジェスト映像生成部１０３は、動画コンテンツ記憶部１０２が記憶する動画コンテンツ各々のダイジェスト映像を生成し、ダイジェスト映像記憶部１０４に記憶させる。なお、本実施形態におけるダイジェスト映像は、動画コンテンツの中から複数のシーンを抽出して連結したものであるが、これに限定されない。ダイジェスト映像記憶部１０４は、動画コンテンツ記憶部１０２が記憶する動画コンテンツ各々のダイジェスト映像を記憶する。
【００２６】
ストリーミング部１０５は、動画コンテンツ再生装置２からの要求に従い、動画コンテンツ記憶部１０２が記憶する動画コンテンツ、あるいは、ダイジェスト映像記憶部１０４が記憶するダイジェスト映像を、要求元の動画コンテンツ再生装置２にストリーミングする。通信部１０６は、ネットワーク５と接続され、動画コンテンツ再生装置２との通信を行う。なお、ストリーミング部１０５およびファイル転送部１０８は、通信部１０６を介して、動画コンテンツ再生装置２との通信を行う。
【００２７】
図４は、動画コンテンツ再生装置２の構成を示す概略ブロック図である。図４にしめすように、動画コンテンツ再生装置２は、リモコン信号受信部２０１、選択画面生成部２０２、メタデータ記憶部２０３、メタデータ取得部２０４、通信部２０５、ダイジェスト再生部２０６、画像合成部２０７、コンテンツ再生部２０８、出力部２０９を含んで構成される。
【００２８】
リモコン信号受信部２０１（操作取得部）は、リモートコントローラ３が送信した信号を受信する。リモコン信号受信部２０１は、該信号を受信すると、該信号が示す、押されたボタンを選択画面生成部２０２に通知する。選択画面生成部２０２（フォーカスコンテンツ選択部）は、そのときフォーカスされている動画コンテンツを示す選択画面を生成し、フォーカスされている動画コンテンツのダイジェスト映像の再生をダイジェスト再生部２０６に指示する。選択画面生成部２０２は、リモコン信号受信部２０１から方向指示のボタンが通知されたときなどには、フォーカスされる動画コンテンツを変更し、選択画面の生成とダイジェスト映像の再生指示とをし直す。また、選択画面生成部２０２リモコン信号受信部２０１から決定ボタンが通知されると、フォーカスされている動画コンテンツの再生を、コンテンツ再生部２０８に指示する。選択画面生成部２０２の詳細については、後述する。
【００２９】
メタデータ記憶部２０３は、動画コンテンツに関するメタデータを記憶する。メタデータ取得部２０４は、コンテンツサーバ１からメタデータを取得してメタデータ記憶部２０３に記憶させる。通信部２０５は、ネットワーク５と接続され、コンテンツサーバ１との通信を行う。なお、メタデータ取得部２０４、ダイジェスト再生部２０６およびコンテンツ再生部２０８は、通信部２０５を介して、コンテンツサーバ１との通信を行う。
【００３０】
ダイジェスト再生部２０６は、選択画面生成部２０２からダイジェスト映像の再生を指示されると、コンテンツサーバ１からダイジェスト映像を取得して、再生する。より具体的には、選択画面生成部２０２からダイジェスト映像の再生指示として、該ダイジェスト映像のＵＲＬが通知されると、ダイジェスト再生部２０６は、該ＵＲＬに基づき、ダイジェスト映像のストリーミングをコンテンツサーバ１に要求する。ダイジェスト再生部２０６は、コンテンツサーバ１がストリーミングしたダイジェスト映像を受信すると、それを再生する。ダイジェスト再生部２０６は、再生結果の映像信号を画像合成部２０７に入力し、再生結果の音声信号を出力部２０９に入力する。
【００３１】
画像合成部２０７は、選択画面生成部２０２が生成した選択画面に、ダイジェスト再生部２０６による再生結果の映像信号が表す映像を重畳し、重畳画像を生成する。画像合成部２０７は、生成した重畳画像を表す映像信号を出力部２０９に入力する。コンテンツ再生部２０８（動画再生部）は、選択画面生成部２０２から動画コンテンツの再生を指示されると、コンテンツサーバ１から動画コンテンツを取得して、再生する。より具体的には、選択画面生成部２０２から動画コンテンツの再生指示として、該動画コンテンツのＵＲＬが通知されると、コンテンツ再生部２０８は、該ＵＲＬに基づき、動画コンテンツのストリーミングをコンテンツサーバ１に要求する。コンテンツ再生部２０８は、コンテンツサーバ１がストリーミングした動画コンテンツを受信すると、それを再生する。コンテンツ再生部２０８は、再生結果の映像信号と音声信号とを出力部２０９に入力する。出力部２０９は、コンテンツ再生部２０８から映像信号と音声信号とが入力されると、これらの信号を表示装置４に入力する。出力部２０９は、コンテンツ再生部２０８から映像信号と音声信号とが入力されていないときは、画像合成部２０７から入力された映像信号と、ダイジェスト再生部２０６から入力された音声信号とを表示装置４に入力する。
【００３２】
図５は、メタデータ記憶部１０７、２０３が記憶するメタデータの例を示す図である。図５に示すように、メタデータ記憶部１０７、２０３が記憶するメタデータは、各動画コンテンツに関する、コンテンツ識別番号と、コンテンツ名と、コンテンツＵＲＬと、ダイジェストＵＲＬと、代表画像とを含む。図５に示す例では、各行が１つの動画コンテンツに関するメタデータである。例えば、コンテンツ識別番号「００００３」の動画コンテンツのメタデータは、カテゴリー「１」、順序「１」、コンテンツ識別番号「００００３」、コンテンツ名「ＸＸＸＸＸＸ」、コンテンツＵＲＬ「００００３．ＸＸＸ」、ダイジェストＵＲＬ「ＤＧ＿００００３．ＸＸＸ」、代表画像「Ｄ＿００００３．ＸＸ」、・・・である。
【００３３】
ここでカテゴリーは、当該動画コンテンツが属するカテゴリーを識別する番号である。順序は、カテゴリー内での当該動画コンテンツの順序を示す番号である。コンテンツ識別番号は、当該動画コンテンツを識別する番号である。コンテンツ名は、タイトルなど、当該動画コンテンツの名称である。コンテンツＵＲＬは、動画コンテンツを取得するためのＵＲＬである。ダイジェストＵＲＬは、ダイジェスト映像を取得するためのＵＲＬである。代表画像は、当該動画コンテンツの代表画像が格納されたファイルのファイル名である。なお、ここで、代表画像として、代表画像が格納されたファイルのファイル名を示しているが、代表画像が格納されたファイルもメタデータであり、メタデータ記憶部１０７、２０３が記憶している。なお、代表画像は、当該画像で、動画コンテンツを視聴者が識別できるように、動画コンテンツの配信者や製作者が生成した画像である。
【００３４】
なお、図５の例では、メタデータ記憶部１０７、２０３が記憶するコンテンツＵＲＬ、ダイジェストＵＲＬは、「00003.XXX」というように、ＵＲＬのうちファイルを指定する部分のみをメタデータ記憶部１０７は記憶している。その他のプロトコル、サーバ、フォルダを指定する部分（例えば、「HTTP://aaa.aaa.aa/xxx/」）については、本実施形態では共通であり、メタデータ取得部２０４、ダイジェスト再生部２０６、コンテンツ再生部２０８などが記憶している。なお、プロトコル、サーバ、フォルダを指定する部分も、メタデータ記憶部１０７、２０３がコンテンツＵＲＬなどに含めて記憶するようにしてもよい。
【００３５】
図６は、選択画面生成部２０２の動作を説明するフローチャートである。動画コンテンツ再生装置２の電源が投入されると、選択画面生成部２０２は、まず、予め記憶されていた、当該動画コンテンツ再生装置２が電源断されたときのフォーカス位置を取得する（Ｓ１）。なお、ここで、フォーカス位置とは、フォーカスされている動画コンテンツのカテゴリーと、順序とからなる情報である。次に、選択画面生成部２０２は、決定指示されたか否か、すなわち、リモコン信号受信部２０１から決定ボタンを通知されたか否かを判定する（Ｓ２）。
【００３６】
決定指示されたと判定したときは（Ｓ２−Ｙｅｓ）、選択画面生成部２０２は、ダイジェスト映像の再生停止を、ダイジェスト再生部２０６に指示する（Ｓ３）。そして、選択画面生成部２０２は、フォーカスされている動画コンテンツの再生開始を、コンテンツ再生部２０８に指示する（Ｓ４）。このとき、選択画面生成部２０２は、フォーカスされている動画コンテンツのコンテンツＵＲＬを、メタデータ記憶部２０３から読み出し、該コンテンツＵＲＬをコンテンツ再生部２０８に通知することで、動画コンテンツの再生開始を指示する。そして、動画コンテンツの再生が終了するまで待機する（Ｓ５）。再生が終了すると、後述するステップＳ７に遷移する。
【００３７】
一方、ステップＳ２にて、決定指示されていないと判定したときは（Ｓ２−Ｎｏ）、選択画面生成部２０２は、方向指示されたか否か、すなわち、リモコン信号受信部２０１から十字ボタンのいずれかを通知されたか否かを判定する（Ｓ６）。方向指示されたと判定したときは（Ｓ６−Ｙｅｓ）、選択画面生成部２０２は、指示された方向に従い、フォーカス位置を変更する（Ｓ７）。
【００３８】
次に、選択画面生成部２０２は、変更されたフォーカス位置に基づき、選択画面を生成する（Ｓ８）。このとき、選択画面生成部２０２は、フォーカスされている動画コンテンツのコンテンツ名と、該動画コンテンツと同じカテゴリーで順序が一つ前と後の動画コンテンツの代表画像とを、メタデータ記憶部２０３から読み出し、これらを用いて選択画面を生成する。なお、具体的な選択画面については、後述する。次に、選択画面生成部２０２は、フォーカスされている動画コンテンツのダイジェスト映像の再生開始を、ダイジェスト再生部２０６に指示し（Ｓ９）、ステップＳ２に戻る。このとき、選択画面生成部２０２は、フォーカスされている動画コンテンツのダイジェストＵＲＬを、メタデータ記憶部２０３から読み出し、該ダイジェストＵＲＬをダイジェスト再生部２０６に通知することで、ダイジェスト映像の再生開始を行う。
【００３９】
また、ステップＳ６にて、方向指示されていないと判定したときは、選択画面生成部２０２は、ダイジェスト映像の再生が終了したか否かを判定する（Ｓ１０）。終了していないと判定したときは（Ｓ１０−Ｎｏ）、選択画面生成部２０２は、ステップＳ２に戻る。また、ステップＳ１０にて、終了したと判定したときは（Ｓ１０−Ｙｅｓ）、選択画面生成部２０２は、ステップＳ７に戻る。
【００４０】
なお、ステップＳ５またはステップＳ１０から、ステップＳ７に遷移したときは、選択画面生成部２０２は、最後に指示された方向指示に従い、フォーカス位置を変更する。これにより、一回、十字ボタンでいずれかの方向を指示すれば、その方向に従い、ダイジェスト映像が順次再生されるので、視聴者は何度も十字ボタンを押さなくてもよい。なお、ダイジェスト映像の再生を順次行って、カテゴリー内の全ての動画コンテンツのダイジェスト映像の再生が終わったときは、異なるカテゴリーにフォーカス位置を変更するようにしてもよい。
【００４１】
図７は、選択画面生成部２０２が生成する選択画面と方向指示との関係を説明する図である。図７において、選択画面Ｇ１１、Ｇ１２、Ｇ２１、Ｇ２２は、それぞれ、動画コンテンツ１１、１２、２１、２２がフォーカスされているときの選択画面である。ここで、動画コンテンツ１１は、カテゴリー「１」、順序「１」であり、動画コンテンツ１２は、カテゴリー「１」、順序「２」であり、動画コンテンツ２１は、カテゴリー「２」、順序「１」であり、動画コンテンツ２２は、カテゴリー「２」、順序「２」である。
【００４２】
図７において、選択画面Ｇ１１、Ｇ１２、Ｇ２１、Ｇ２２の並びは、方向指示を受けたときの画面遷移に対応した並びとなっている。すなわち、選択画面Ｇ１１が表示されているときに、右方向が指示されると、選択画面Ｇ１２が表示される。同様に、選択画面Ｇ１１が表示されているときに、下方向が指示されると、選択画面Ｇ２１が表示される。また、選択画面Ｇ１２が表示されているときに、左方向が指示されると、選択画面Ｇ１１が表示され、選択画面Ｇ２１が表示されているときに、上方向が指示されると、選択画面Ｇ１１が表示される。
【００４３】
選択画面Ｇ１１では、フォーカスされている動画コンテンツ１１のダイジェスト映像ＤＧ１１が中央付近に、画像合成部２０７により合成される。ダイジェスト映像ＤＧ１１の下には、動画コンテンツ１１のコンテンツ名Ｔ１１が配置されている。選択画面Ｇ１１の左端には、左方向が指示されたときにフォーカスされる動画コンテンツの代表画像の右半分Ｄ１６が配置されている。選択画面Ｇ１１の右端には、右方向が指示されたときにフォーカスされる動画コンテンツの代表画像の左半分Ｄ１２が配置されている。その他の各選択画面Ｇ１２、Ｇ２１、Ｇ２２も、フォーカスされている動画コンテンツのダイジェスト映像と、コンテンツ名と、左方向が指示されたときにフォーカスされる動画コンテンツの右半分と、右方向が指示されたときにフォーカスされる動画コンテンツの左半分とを含んでいる。
【００４４】
なお、本実施形態では、動画コンテンツ再生装置２と、表示装置４とが別々の装置である場合を説明したが、これらの装置が一体となっていてもよい。動画コンテンツ再生装置２と、コンテンツサーバ１とが別々の装置である場合を説明したが、これらの装置が一体となっていてもよい。
【００４５】
また、本実施形態では、方向指示や、決定指示などの指示に、リモートコントローラ３のボタンを用いる場合を説明したが、動画コンテンツ再生装置２や表示装置４が有する入力デバイスを用いるようにしてもよい。入力デバイスは、十字ボタンと決定ボタンではなく、マウス、タッチパネルなど、方向指示と、決定指示とを指示できるものであればよい。
また、本実施形態では、動画コンテンツを２次元（左右方向と上下方向）に、仮想的に配列し、選択画面の遷移を、該配列に従い決めるようにしたが、該配列の次元数は、１次元や３次元など、その他の次元数であってもよい。
【００４６】
このように、方向指示などに従い、フォーカスする動画コンテンツを変更したときは、該動画コンテンツのダイジェスト映像を含む選択画面となるので、視聴者は、動画コンテンツの内容を容易に把握し、該動画コンテンツを視聴したいか否かを判定することができる。よって、視聴者が再生したい動画コンテンツを、方向指示のみで容易に選択することができる。
【００４７】
また、図１におけるコンテンツサーバ１、動画コンテンツ再生装置２の機能あるいはその一部の機能を実現するためのプログラムをコンピュータ読み取り可能な記録媒体に記録して、この記録媒体に記録されたプログラムをコンピュータシステムに読み込ませ、実行することにより、各装置を実現するようにしてもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５０】
１…コンテンツサーバ
２…動画コンテンツ再生装置
３…リモートコントローラ
４…表示装置４
５…ネットワーク
１０…動画コンテンツ再生システム
１０１…コンテンツ登録部
１０２…動画コンテンツ記憶部
１０３…ダイジェスト映像生成部
１０４…ダイジェスト映像記憶部
１０５…ストリーミング部
１０６…通信部
１０７…メタデータ記憶部
１０８…ファイル転送部
２０１…リモコン信号受信部
２０２…選択画面生成部
２０３…メタデータ記憶部
２０４…メタデータ取得部
２０５…通信部
２０６…ダイジェスト再生部
２０７…画像合成部
２０８…コンテンツ再生部
２０９…出力部
【図１】
2013251732.tif 000003
【図２】
2013251732.tif 000004
【図３】
2013251732.tif 000005
【図４】
2013251732.tif 000006
【図５】
2013251732.tif 000007
【図６】
2013251732.tif 000008
【図７】
2013251732.tif 000009